(57)【要約】【課題】テレビ放送等の番組と連動して、簡単な操作でユーザからの要求を所望のＷｅｂサイトに送信することが可能な放送連動処理システムを提供すること。【解決手段】携帯電話１は、サーバ２からユーザ識別情報ＵＩＤを取得して保存し、テレビのＣＭ中にユーザの操作によってＵＩＤを赤外線通信によりデジタルテレビ１１に送信する。テレビ１１はＵＩＤおよびＣＭ識別情報をＣＭ情報に含まれるＵＲＬによりサーバ２に送信する。サーバ２はＵＩＤおよびＣＭ識別情報を受信し、固有識別情報ＳＩＤを生成して携帯電話１に送信すると共にデータベースＤＢ３に登録する。携帯電話１はＳＩＤを店舗端末１２に転送する。サーバ２は、店舗端末１２から送信されたＳＩＤがＤＢ３に登録されているか否かを判定して結果を店舗端末１２に返送する。簡単な操作でユーザからの要求を所望のＷｅｂサイトに送信することができる。【選択図】図１
2005333399.tif 000002
【特許請求の範囲】
【請求項１】
情報処理機能とデータ通信機能を有する携帯端末において、
サーバ装置からユーザ識別情報を取得して保存するユーザ識別情報保存手段と、
ユーザの操作に基づき、前記ユーザ識別情報を赤外線通信機能あるいは近距離無線通信機能のいずれかを使用して送信する送信手段と
を備えたことを特徴とする携帯端末。
【請求項２】
更に、サービスを受けるための固有識別情報を前記サーバから受信して保存する固有識別情報保存手段を備えたことを特徴とする請求項１に記載の携帯端末。
【請求項３】
情報処理機能とデータ通信機能を有する携帯端末のコンピュータを、
サーバ装置からユーザ識別情報を取得して保存するユーザ識別情報保存手段、
ユーザの操作に基づき、前記ユーザ識別情報を赤外線通信機能あるいは近距離無線通信機能のいずれかを使用して送信する送信手段
として機能させることを特徴とする放送連動処理プログラム。
【請求項４】
更に、情報処理機能とデータ通信機能を有する携帯端末のコンピュータを、サービスを受けるための固有識別情報を前記サーバから受信して保存する固有識別情報保存手段として機能させるためのプログラムを含むことを特徴とする請求項３に記載の放送連動処理プログラム。
【請求項５】
通信網を介して携帯端末、デジタル放送受信装置、店舗端末と通信可能なサーバ装置において、
前記通信網から取得した前記携帯端末のユーザ識別情報を前記携帯端末へ送信するユーザ識別情報送信手段と、
前記デジタル放送受信装置から送信された前記携帯端末のユーザ識別情報および広告識別情報を受信し、固有識別情報を生成して前記携帯端末に送信すると共にデータベースに登録する固有識別情報生成手段と、
前記店舗端末から送信された前記固有識別情報を受信し、データベースに登録されているか否かを判定して判定結果を前記店舗端末に返送するシリアルＩＤ認証手段と
を備えたことを特徴とするサーバ装置。
【請求項６】
前記固有識別情報には前記ユーザ識別情報および広告識別情報が含まれ、かつ暗号化されていることを特徴とする請求項５に記載のサーバ装置。
【請求項７】
サーバ装置からユーザ識別情報を取得して保存するユーザ識別情報保存手段と、ユーザの操作に基づき、前記ユーザ識別情報を赤外線通信機能あるいは近距離無線通信機能のいずれかを使用して送信する送信手段とを備えた、情報処理機能とデータ通信機能を有する携帯端末、
前記通信網から取得した前記携帯端末のユーザ識別情報を前記携帯端末へ送信するユーザ識別情報送信手段と、前記デジタル放送受信装置から送信された前記携帯端末のユーザ識別情報および広告識別情報を受信し、固有識別情報を生成して前記携帯端末に送信すると共にデータベースに登録する固有識別情報生成手段と、前記店舗端末から送信された前記固有識別情報を受信し、データベースに登録されているか否かを判定して判定結果を前記店舗端末に返送する固有識別情報認証手段とを備えた、通信網を介して携帯端末、デジタル放送受信装置、店舗端末と通信可能なサーバ装置
からなることを特徴とする放送連動処理システム。
【請求項８】
サーバ装置が通信網から取得した携帯端末のユーザ識別情報を前記携帯端末へ送信するステップ、
広告識別情報およびＵＲＬを含む広告のデジタル放送を行うステップ、
前記広告がデジタルテレビ受信機に表示されている間に前記携帯端末からユーザ識別情報を前記デジタルテレビ受信機に送信するステップ、
前記デジタルテレビ受信機が前記携帯端末のユーザ識別情報および広告識別情報を前記ＵＲＬによって指定された前記サーバ装置へ送信するステップ、
前記デジタルテレビ受信機から送信された前記携帯端末のユーザ識別情報および広告識別情報を前記サーバ装置が受信し、固有識別情報を生成して前記携帯端末に送信すると共にデータベースに登録するステップ、
前記携帯端末から店舗端末へ前記固有識別情報を転送するステップ、
前記店舗端末から送信された前記固有識別情報を受信し、データベースに登録されているか否かを判定して判定結果を前記店舗端末に返送するステップ、
前記店舗端末において前記判定結果を表示するステップ
を含むことを特徴とする放送連動処理方法。
【発明の詳細な説明】
【技術分野】
【０００１】
本発明は、携帯端末、放送連動処理プログラム、サーバ装置、放送連動処理システムおよび放送連動処理方法に関するものであり、特に、テレビ放送等の放送と連動して簡単にユーザからの要求を送信することが可能な携帯端末、放送連動処理プログラム、サーバ装置、および放送連動処理方法に関するものである。
【背景技術】
【０００２】
従来、テレビ等の放送番組とネットワークに接続された端末との連動システムが各種提案されている。例えば、下記の特許文献１には、双方向クロスメディアサービスシステムが開示されている。このシステムにおいては、ＴＶ端末、携帯電話端末、インターネット端末などの複数の端末を使用し、例えばテレビで広告を視聴しているユーザがインターネット端末を操作することにより、該当する商品の情報を取得できるようにしたものである。
【特許文献１】特開２００２−１３３３５２号公報
【発明の開示】
【発明が解決しようとする課題】
【０００３】
上記した従来の放送連動システムは、例えばＴＶ端末とインターネット端末間において端末同士の連携がなく、例えばテレビ番組と関連するＷｅｂにアクセスする場合には、そのＷｅｂのＵＲＬ（Uniform Resource Locator）がインターネット端末に予め登録されているか、あるいはその場で検索する必要があるという問題点があった。また、情報を取得するためにはユーザの操作が必要であり、簡単な操作で必要な情報が得られるとは限らないという問題点もあった。
本発明の目的は、上記したような問題点を解決し、テレビ放送等の番組と連動して、簡単な操作でユーザからの要求を所望のＷｅｂサイトに送信することが可能な携帯端末、放送連動処理プログラム、サーバ装置、放送連動処理システム、および放送連動処理方法を提供することにある。
【課題を解決するための手段】
【０００４】
本発明の携帯端末は、情報処理機能とデータ通信機能を有する携帯端末において、サーバ装置からユーザ識別情報を取得して保存するユーザ識別情報保存手段と、ユーザの操作に基づき、前記ユーザ識別情報を赤外線通信機能あるいは近距離無線通信機能のいずれかを使用して送信する送信手段とを備えたことを主要な特徴とする。
また、前記携帯端末は更に、サービスを受けるための固有識別情報を前記サーバから受信して保存する固有識別情報保存手段を備えていてもよい。
【０００５】
本発明の放送連動処理プログラムは、情報処理機能とデータ通信機能を有する携帯端末のコンピュータを、サーバ装置からユーザ識別情報を取得して保存するユーザ識別情報保存手段、ユーザの操作に基づき、前記ユーザ識別情報を赤外線通信機能あるいは近距離無線通信機能のいずれかを使用して送信する送信手段として機能させることを主要な特徴とする。
また、前記放送連動処理プログラムは更に、情報処理機能とデータ通信機能を有する携帯端末のコンピュータを、サービスを受けるための固有識別情報を前記サーバから受信して保存する固有識別情報保存手段として機能させるためのプログラムを含むようにしてもよい。
【０００６】
本発明のサーバ装置は、通信網を介して携帯端末、デジタル放送受信装置、店舗端末と通信可能なサーバ装置において、前記通信網から取得した前記携帯端末のユーザ識別情報を前記携帯端末へ送信するユーザ識別情報送信手段と、前記デジタル放送受信装置から送信された前記携帯端末のユーザ識別情報および広告識別情報を受信し、固有識別情報を生成して前記携帯端末に送信すると共にデータベースに登録する固有識別情報生成手段と、前記店舗端末から送信された前記固有識別情報を受信し、データベースに登録されているか否かを判定して判定結果を前記店舗端末に返送するシリアルＩＤ認証手段とを備えたことを主要な特徴とする。
また、前記サーバ装置において、前記固有識別情報には前記ユーザ識別情報および広告識別情報が含まれ、かつ暗号化されていてもよい。
【０００７】
本発明の放送連動処理システムは、サーバ装置からユーザ識別情報を取得して保存するユーザ識別情報保存手段と、ユーザの操作に基づき、前記ユーザ識別情報を赤外線通信機能あるいは近距離無線通信機能のいずれかを使用して送信する送信手段とを備えた、情報処理機能とデータ通信機能を有する携帯端末、前記通信網から取得した前記携帯端末のユーザ識別情報を前記携帯端末へ送信するユーザ識別情報送信手段と、前記デジタル放送受信装置から送信された前記携帯端末のユーザ識別情報および広告識別情報を受信し、固有識別情報を生成して前記携帯端末に送信すると共にデータベースに登録する固有識別情報生成手段と、前記店舗端末から送信された前記固有識別情報を受信し、データベースに登録されているか否かを判定して判定結果を前記店舗端末に返送する固有識別情報認証手段とを備えた、通信網を介して携帯端末、デジタル放送受信装置、店舗端末と通信可能なサーバ装置からなることを主要な特徴とする。
【０００８】
本発明の放送連動処理方法は、サーバ装置が通信網から取得した携帯端末のユーザ識別情報を前記携帯端末へ送信するステップ、広告識別情報およびＵＲＬを含む広告のデジタル放送を行うステップ、前記広告がデジタルテレビ受信機に表示されている間に前記携帯端末からユーザ識別情報を前記デジタルテレビ受信機に送信するステップ、前記デジタルテレビ受信機が前記携帯端末のユーザ識別情報および広告識別情報を前記ＵＲＬによって指定された前記サーバ装置へ送信するステップ、前記デジタルテレビ受信機から送信された前記携帯端末のユーザ識別情報および広告識別情報を前記サーバ装置が受信し、固有識別情報を生成して前記携帯端末に送信すると共にデータベースに登録するステップ、前記携帯端末から店舗端末へ前記固有識別情報を転送するステップ、前記店舗端末から送信された前記固有識別情報を受信し、データベースに登録されているか否かを判定して判定結果を前記店舗端末に返送するステップ、前記店舗端末において前記判定結果を表示するステップを含むことを主要な特徴とする。
【発明の効果】
【０００９】
本発明は上記のような特徴によって、携帯端末を所有するユーザが簡単な操作で、商品のクーポンの取得や購入予約等の要求を関連するＷｅｂサイトに送信できるので、ユーザの操作性や利便性が向上するという効果がある。また、放送中の広告のより詳細な情報を提供可能となり、広告効果が向上するという効果もある。更に、番組や広告に対するユーザの反応を直接、リアルタイムに収集することができるので、マーケティングリサーチの有効なツールとして使用可能であるという効果もある。
【発明を実施するための最良の形態】
【００１０】
以下、本発明を実施するための最良の形態について、図面を参照して詳細に説明する。本実施の形態では、携帯端末として携帯電話機を使用する例を開示する。但し、本発明はインターネットに接続してＷｅｂ閲覧が可能な任意の携帯端末について適用可能である。
【００１１】
まずシステム全体の構成について説明する。図１は、本発明の実施例のシステム全体を示す概略構成図である。このシステムは、携帯端末の一種である携帯電話１とサーバ２が携帯電話網５およびインターネット４を介して接続可能に構成されている。サーバ２はインターネット４を介して店舗端末１２とも接続可能である。携帯電話網５は、基地局９、パケット交換処理を司るパケット網６、インターネット４に接続されたゲートウェイサーバ７とを備え、携帯電話１とインターネット４との接続を可能にする。携帯電話１は、たとえば、HTTP（Hyper Text Transfer Protocol）によりＷｅｂ閲覧を行うＷｅｂブラウザおよびメールの送受信を行うメーラを標準装備しており、更に本発明によるアプリケーションプログラムをダウンロードして記憶可能である。
【００１２】
サーバ２はデータベース３を備え、Ｗｅｂサーバ、メールサーバ、アプリケーションサーバ等の機能を有する。サーバ２はインターネット４、携帯電話網５を介して携帯電話１やパソコンなどのその他の端末と通信可能であり、携帯電話１からのアクセスに応じて後述するような処理を行う。データベース３は、サーバ２に接続されたデータベースシステムであり、ダウンロード用アプリ、ユーザ関連データ、コンテンツデータ等の各種データを記憶すると共にサーバ２からの要求に基づきサーバ２に必要なデータを提供する。店舗端末１２は例えばインターネット接続機能を備えた周知のパソコンであってもよく、赤外線通信機能を備えている方が望ましい。
【００１３】
デジタルＴＶ放送局１０は、公知のデジタル放送によるテレビ番組の放送機能を有する。なお、デジタル放送においては、デジタル化された動画の放送（テレビ放送）に加え、コンテンツの放送（データ放送）が可能である。コンテンツの記述には、ＢＭＬ（Broadcasting Markup Language）が使用される。これはＸＭＬをベースとするマークアップ言語であり、デジタルテレビにＷｅｂページのような文書と画像が組み合わさった画面を表示して、テレビのリモコンや後述する携帯電話機を使用したユーザーからの情報入力に基づき、入力情報のインターネットへの送信等の所望の処理を実行させることができる。
【００１４】
デジタルテレビ受信機１１は携帯電話１のユーザが所有する公知のデジタルテレビ受信機である。デジタルテレビ受信機１１は電話回線あるいは家庭内ＬＡＮを介してインターネットと接続する機能を標準で備えている。また、デジタルテレビ受信機１１はテレビのリモコンとの通信を行うための赤外線通信機能も標準で備えており、赤外線通信機能を有する携帯電話１はこの機能を使用してデジタルテレビ受信機１１と通信を行うことが可能である。なお、本明細書において、デジタルテレビ受信機とはチューナ、ビデオレコーダなどデジタル放送受信機能および赤外線通信機能を備えた任意の装置を含むものとする。
【００１５】
図２は、本実施の形態による携帯電話１の内部構成例を示すブロック図である。携帯電話１は、制御部２０、通信制御部２１、表示部２３、入力部２４、音声／サウンド制御部、時計部２８、赤外線通信制御部２９、記憶部３０を備え、各回路はバス２９によって接続されている。
【００１６】
情報処理機能を実現する制御部２０は、CPU、ROM、RAMなどを備え、ROMや記憶部３０に記憶された各種プログラムに従って携帯電話１全体の制御を行う。アプリケーションプログラムとしては、例えばＷｅｂ閲覧を制御するＷｅｂブラウザ、メールの送受信を制御するメーラープログラム、あるいはダウンロードされた本発明に関するアプリを実行可能である。記憶部３０は、例えば不揮発性のメモリからなり、上記した各種アプリやアプリで使用するデータ、待ち受け画像等の画像データ、着メロデータ、電話帳データなどをを記憶している。
【００１７】
アンテナ２２を備えた通信制御部２１は基地局との間のデータおよび音声通信機能を実行する。例えば液晶表示器を備えた表示部２３は制御部２０の制御によって文字や画像を表示する。入力部２４は、電話番号や文字を入力するためのダイヤルキー、メインメニューを呼び出したり、画面上の選択可能なアイコンに対して上下左右へカーソルを移動してアイコンを選択するためのセレクトキー、ダイヤルキーやセレクトキーで選択した項目を確定する確定キーなどを備える。
【００１８】
音声／サウンド制御部２５は、スピーカ２６およびマイク２７が接続されており、呼出音、着信メロ等のサウンド出力や通話時の音声出力、およびマイク２７からの音声入力を実行する。時計部２８は制御部２０に現在時刻情報を提供する。赤外線通信制御部２９は例えばデジタルテレビ受信機１１との間の赤外線による通信を実行する。この他、近距離無線通信機能、外部機器接続機能、カメラ機能、（デジタル）テレビあるいは（デジタル）ラジオ受信機能、メモリカードスロット等を備えていてもよい。
【００１９】
図３は、本実施の形態によるサーバ２の内部構成例を示すブロック図である。サーバ２は、制御部４１、記憶部４２、通信制御部４３、データベースインターフェイス部４４、時計部４５等からなり、各回路はバス４６によって接続されている。制御部４１はCPU、ROM、RAMなどを備え、周知のＯＳ、サーバプログラムおよび本発明の機能を実現するアプリケーションプログラムを実行することにより、サーバ全体を制御する。
【００２０】
記憶部４２は例えばハードディスク装置を備え、ＯＳ（Operating system）、公知あるいは本発明による各種アプリケーションプログラム、データ等を記憶している。通信制御部４３は、図示しないルータやファイヤウォールサーバを介してインターネット４に接続され、インターネット４を介して携帯電話１などとの双方向通信を実行する。時計部４５は現在時刻を計時し、制御部４１に提供する。データベースインタフエース部４４はデ−タベース３に接続され、データベース２との間でデータ授受を行う。
【００２１】
図４は、デジタルテレビ受信機１１の構成例を示すブロック図である。デジタルテレビ受信機１１は、デジタル放送を受信してデジタルデータを復調して出力するデジタル放送受信部５０、表示器を備え、復調されたデジタルデータに基づき画像を表示する表示部５１、CPU、ROM、RAMなどを備え、ＢＭＬの表示処理やダウンロードしたアプリの処理を実行する制御部５２、テレビのリモコンや携帯電話機との通信を行う赤外線通信制御部５３、電話回線あるいは家庭内ＬＡＮなどを介してインターネットと接続するインターネットインターフェイス部５４、各回路を接続するバス５５を備えている。更に、携帯電話１との通信が可能な近距離無線通信機能を備えていてもよい。なお、このようなデジタルテレビ受信機は公知である。
【００２２】
以下に、本発明による放送連動処理の機能および動作を説明する。図５は、本発明の放送連動処理における登録処理の内容を示すフローチャートである。なお、縦線は時間の経過を示し、横点線は情報、データの移動を示している。Ｓ１０においては、ユーザが携帯電話１のブラウザを起動して本発明に関するサーバにアクセスし、ユーザー登録要求を行う。Ｓ１１においては、サーバにおいてユーザー登録を行う。Ｓ１２においては、ユーザの操作に基づいてサーバから本発明によるアプリを送信（ダウンロード）する。Ｓ１３においては、携帯電話においてアプリを受信し、記憶部に保存して、起動する。
【００２３】
Ｓ１４においては、サーバからユーザ固有の識別情報であるＵＩＤを送信する。携帯電話網のキャリアから認定された公式サイト（サーバ）であれば、アクセスしてきた携帯電話１のＵＩＤ（ユーザ固有の識別情報）を携帯電話網５から取得可能であるので、ユーザの特定（認証）が可能である。また、ユーザＩＤとパスワードによって認証を行ってもよい。Ｓ１５においては、アプリがＵＩＤを受信して保存する。
【００２４】
図６は、本発明の放送連動処理におけるＵＩＤ送信処理の内容を示すフローチャートである。この処理は、例えばユーザが携帯電話機を携帯してデジタルテレビを視聴している場合に実行される。Ｓ２０においては、デジタルテレビにおいてＢＭＬによるＣＭ（広告）を表示する。このＣＭには例えば、「携帯電話機からデジタルテレビにＩＤ情報を送信すれば、この商品の割り引きクーポンがもらえます。」というようなコメントを表示する。
【００２５】
Ｓ２１においては、ユーザは携帯電話に予めダウンロードされている本発明のアプリを起動する。Ｓ２２においては、ＣＭ中にユーザ操作に基づいてアプリからＵＩＤ情報が赤外線通信機能によってデジタルテレビに送信される。Ｓ２３においては、デジタルテレビにおいてＵＩＤが受信される。Ｓ２４においては、デジタルテレビにおいて、ＢＭＬによる制御によって携帯電話機から受信したＵＩＤ情報を当該ＣＭの識別情報であるＣＭＩＤと共にＢＭＬによって指定されているサーバ２に送信する。なお、ＣＭＩＤには商品ＩＤ、番組ＩＤ、地域ＩＤ等が含まれていてもよい。
【００２６】
Ｓ２５においては、サーバ２においてＣＭＩＤおよびＵＩＤを受信する。Ｓ２６においては、サーバ２においてＣＭ識別情報およびＵＩＤ情報が含まれ、暗号化された固有の識別情報であるシリアルＩＤを生成する。Ｓ２７においては、このシリアルＩＤをメールで該当する携帯電話に送信する。Ｓ２８においては、シリアルＩＤをＤＢに登録する。Ｓ２９においては、携帯電話においてメールを受信し、アプリによってメール中のシリアルＩＤが保存される。
【００２７】
図７は、本発明の放送連動処理におけるクーポン使用処理の内容を示すフローチャートである。この処理は、例えば前記したＵＩＤ送信処理を行った後に、ユーザがクーポン使用可能な店舗に携帯電話機を携帯して行き、該当する商品を購入する場合に実行される。Ｓ４０においては、ユーザがアプリを起動する。Ｓ４１においては、赤外線通信機能を使用して店舗のＰＣにシリアルＩＤ情報を送信する。Ｓ４２においては、店舗ＰＣ端末においてシリアルＩＤ情報を受信する。なお、店舗端末に赤外線通信機能がない場合には、ユーザはシリアルＩＤが表示されたメール画面を店員に提示し、店員は店舗端末にそのシリアルＩＤをキー入力してもよい。
【００２８】
Ｓ４３においては、店舗ＰＣ端末からサーバにシリアルＩＤ情報が送信され、Ｓ４４においては、サーバにおいてシリアルＩＤを受信する。Ｓ４５においては、受信したシリアルＩＤがＤＢ３にあるか否かが判定され、判定結果が肯定の場合にはクーポン使用可能であるのでＳ４６に移行するが、否定の場合にはクーポン使用不可であるのでＳ４７に移行する。Ｓ４６においては、サーバにおいてシリアルＩＤをＤＢ３から削除する。
【００２９】
Ｓ４７においては、クーポン使用可能か否かという認証結果を店舗ＰＣ端末に送信する。なお、必要に応じて、シリアルＩＤを解読してＣＭ情報、ＵＩＤを抽出することにより、商品情報やユーザ情報を取得して送信してもよい。Ｓ４８においては、店舗ＰＣ端末において認証結果を表示する。店員はこの結果を見て、クーポン使用の可否を決定する。以上のような構成および動作によって携帯電話のユーザが放送と関連するサービスを簡単に利用することが可能となる。
【００３０】
以上実施例を説明したが、本発明のには以下のような変形例も考えられる。実施例においては、ＣＭと関連するクーポンの取得および使用について説明したが、ＣＭと関連するサービスとしては、商品やサービスのより詳細な説明、商品と関連するホームページのＵＲＬの提供、資料請求、商品購入予約、イベントのチケットなどのサービス処理を行うようにしてもよい。
【００３１】
実施例においては、サーバ２は１つのサイトのサーバである例を開示したが、図５、図６、図７の処理を行うサーバはそれぞれ別のサイトのサーバであってもよい。実施例においては、デジタルテレビと携帯電話機との通信は赤外線通信機能を使用する例を開示したが、デジタルテレビと携帯電話機の双方に近距離無線通信機能が装備されている場合には近距離無線通信機能を使用してＵＩＤを転送してもよい。
【００３２】
実施例においては、暗号化された固有のシリアルＩＤにはＣＭ識別情報およびＵＩＤ情報が含まれる例を開示したが、単にクーポンが未使用か否かのみを判別するだけでよければ、シリアルＩＤにＣＭ識別情報やＵＩＤ情報が含まれている必要はなく、単なる固有のＩＤコードでもよい。
【産業上の利用可能性】
【００３３】
本発明は、携帯電話機等の携帯端末、サーバ装置、携帯電話網、インターネット等を含むデータ通信システム、情報処理システムの産業分野で利用可能である。
【図面の簡単な説明】
【００３４】
【図１】本発明の実施例のシステム全体を示す概略構成図である。
【図２】本実施の形態による携帯電話の内部構成例を示すブロック図である。
【図３】本実施の形態によるサーバの内部構成例を示すブロック図である。
【図４】デジタルテレビ受信機の構成例を示すブロック図である。
【図５】本発明の放送連動処理における登録処理の内容を示すフローチャートである。
【図６】本発明の放送連動処理におけるＵＩＤ送信処理の内容を示すフローチャートである。
【図７】本発明の放送連動処理におけるクーポン使用処理の内容を示すフローチャートである。
【符号の説明】
【００３５】
１…携帯電話（携帯端末）
２…サーバ
３…データベース
４…インターネット
５…携帯電話網
６…パケット網
７…ゲートウェイサーバ
９…基地局
１０…ＴＶ放送局
１１…テレビ受信機
【図１】
2005333399.tif 000003
【図２】
2005333399.tif 000004
【図３】
2005333399.tif 000005
【図４】
2005333399.tif 000006
【図５】
2005333399.tif 000007
【図６】
2005333399.tif 000008
【図７】
2005333399.tif 000009